(57)【要約】【課題】電子機器の筐体構造を改良して、防塵カバーが外れるのを防止できるようにする。【解決手段】  開口部に弾性ゴム２２（輪ゴム）が設けられた袋状の防塵カバー２０で覆われる電子機器１において、壁面等の取付面２５に取り付けられる背面板１０に、弾性ゴム２２を引っ掛けるための引掛部１５を設けた。  背面板１０は、カバー３とほぼ同じ大きさかそれより小さく形成され、背面板１０の隅部を面取りして引掛部１５を形成した。  この電子機器１は、取付面２５から露出するカバー３と、取付面２５の表側に取り付けられる背面板１０と、その背面板と一体に形成され、取付面２５の内側に埋め込まれる本体部１２とから構成される埋め込み型の機器である。【選択図】図２
2005276866.tif 000002
【特許請求の範囲】
【請求項１】
開口部に弾性ゴムが設けられた袋状の防塵カバーで覆われる電子機器において、
壁面等の取付面に取り付けられる背面板と、
該背面板に形成され、前記弾性ゴムを引っ掛ける引掛部を設けたことを特徴とする電子機器。
【請求項２】
前記電子機器は、前記取付面から露出するカバーと、前記取付面の外側に取り付けられる背面板と、該背面板と一体に形成され、前記取付面の内側に埋め込まれる本体部とから構成されることを特徴とする請求項１記載の電子機器。
【請求項３】
前記背面板は、前記カバーとほぼ同じ大きさかそれより小さく形成され、前記背面板の隅部を面取りして前記引掛部を形成したことを特徴とする請求項２記載の電子機器。
【発明の詳細な説明】
【技術分野】
【０００１】
本発明は防塵カバーで覆われる電子機器に関するもので、特に防塵カバーが取り付けられる電子機器の構造に関するものである。
【背景技術】
【０００２】
従来より、防塵カバーを電子機器に取り付けることが知られている（例えば特許文献１参照）。この特許文献１について説明する。インターホンのような電子機器は、建物建設中に取り付けられることが多く、このため工事による汚れの付着を防止するため、また建物完成後入居者が入るまで数ヶ月の期間があることもあり、インターホンに防塵カバーを取り付けている。
【０００３】
この防塵カバーは薄い透明の塩ビシートなどで作られ、インターホンに嵌合するような形状に成型されている。このように防塵カバーは、電子機器へ嵌合して取り付けられることから、電子機器にぴったりとはまって、工事中などに防塵カバーが電子機器から外れたりすることはない。しかし、この種の防塵カバーは、対応する電子機器にしか取り付けることができず、型の成型もありコストが高いという問題がある。
【０００４】
そこで、近年では、特許文献２にあるような簡易な防塵カバーが広く普及している。この特許文献２の防塵カバーを図６に示す。防塵カバー５は、例えば透明のビニール袋から構成され、開口部には輪ゴム６が設けてある。そして、コネクタ１を防塵カバー５である袋内に入れて、電線部分３を輪ゴム６で抑えて袋の開口を閉じることで、コネクタへの汚れの付着を防止するものである。
【特許文献１】実公平１−４０２０９号公報
【特許文献２】特開平７−１３０４２３号公報
【発明の開示】
【発明が解決しようとする課題】
【０００５】
ビニール袋と輪ゴムによる防塵カバーは、費用が安くてすむ。しかし、コネクタなどの部品ではなく、インターホンのような電子機器に取り付けた場合、電子機器筐体の側面部分を輪ゴムで抑えることになり、輪ゴムの引っ掛かる部分がないので、防塵カバー自体が外れやすいという問題がある。
【０００６】
そこで、本発明は、電子機器の筐体構造を改良して、防塵カバーが外れるのを防止できるようにすることを目的とする。
【課題を解決するための手段】
【０００７】
本発明は以上の課題を解決するためになされたもので、開口部に弾性ゴムが設けられた袋状の防塵カバーで覆われる電子機器において、壁面等の取付面に取り付けられる背面板と、該背面板に形成され、前記弾性ゴムを引っ掛ける引掛部を設けたことを特徴とするものである。背面板は、カバーとほぼ同じ大きさかそれより小さく形成され、背面板の隅部を面取りして引掛部を形成した。
【発明の効果】
【０００８】
本発明では、防塵カバーで覆われる電子機器において、電子機器の背面板に防塵カバーの弾性ゴムを引っ掛ける引掛部を設けた。このため防塵カバーが電子機器から外れるのを防止できる。
【０００９】
また電子機器は、本体部が埋め込まれ、取付面から露出するカバーの厚みが少ない埋め込み型の機器であっても、防塵カバーは外れることがない。また引掛部は、背面板の隅部に面取りを設けるだけなので、容易に形成可能である。
【発明を実施するための最良の形態】
【００１０】
図１は本発明の一実施の形態に係る電子機器としての住宅情報盤の斜視図である。図において、１は本体２とカバー３からなる住宅情報盤で、カバー３の中央部の上下方向には、モニター４、スピーカ５、通話釦６が設けられており、モニター４の両側には各種操作用の押し釦７が設けられている。９は非常用押釦である。
【００１１】
以下、この住宅情報盤１について図２〜図５を使用して具体的に説明する。図２は防塵カバー取付前の住宅情報盤１の側面図である。図３は防塵カバーを取り付けた住宅情報盤１の側面図である。図４は住宅情報盤１の背面図、図５は本体２の斜視図である。
【００１２】
図２において、２０は住宅情報盤１を覆う袋状の防塵カバーである。２１は透明のビニール袋で、その開口部には、弾性ゴムとしての輪ゴム２２が設けられ、ビニール袋２１の開口をすぼめるようにしてある。このビニール袋２１の大きさは、電子機器１に被せた時、少なくとも電子機器全体をおおえるだけの大きさを持っている。また縮んだ状態にある輪ゴム２２の内径は、カバー３の表面積よりも小さく、輪ゴム２２は伸ばせば、カバー３の表面積よりも大きくなる。
【００１３】
図２に示すように、住宅情報盤１は、壁面等の取付面２５に取り付けられる。この住宅情報盤１は、取付面２５から露出するカバー３と、取付面２５の外（表）側に取り付けられる背面板１０と、取付面２５の内側に埋め込まれる本体部１２とから構成されている。図５に示すように、本体部１２は背面板１０と一体に形成されており、これらを総称して本体２と呼ぶ。本体部１２は箱状に形成され、内部には電源基板などが設けられる。以上のように、この電子機器１は、本体部１２が取付面２５の内側に埋め込まれる埋め込み型の電子機器である。
【００１４】
図５において、本体２の背面板１０の４つの隅部は、その角を削るように面取りが施されている。また図４に示すように、背面板１０は、カバー３と長さ、幅ともほぼ同じ大きさに形成されている。このため背面板１０の面取りをした部分は内側方向に凹んだ凹部となり、こうして輪ゴム２２を引っ掛ける引掛部１５が背面板１０（及びカバー３）に形成される。
【００１５】
次に本発明の作用について説明する。なお、予め住宅情報盤１は、背面板１０に設けたねじ穴にねじを通して取付面２５である壁面に取り付けられている。まず防塵カバー２０の輪ゴム２２を手で伸ばして、カバー３の上部に被せ、その輪ゴム２２をカバー３の奥側にある引掛部１５に引っ掛ける。そしてそのままビニール袋２１を下方に引っ張り、今度は、カバー３の底部から輪ゴム２２を住宅情報盤１の下側の引掛部１５に引っ掛けて、防塵カバー２０から手を離す。こうして輪ゴム２２は４つの引掛部１５に引っ掛かる。このようにして電子機器１は防塵カバー２０で覆われることになる（図３参照）。
【００１６】
図３に示すように、防塵カバー２０の輪ゴム２２の大部分は背面板１０の側面に接しているだけなので、これだけだと防塵カバー２０は外れやすい。しかし、本実施形態では、背面板１０の４つの隅部を面取りして引掛部１５を形成して、引掛部１５に輪ゴム２２を引っ掛けているので、防塵カバー２０が住宅情報盤１から外れることはない。
【００１７】
また引掛部１５を設けることで、防塵カバー２０が外れるのを防止できるだけでなく、防塵カバー２０の取付時に、上方の引掛部１５に引っ掛けて、そこから防塵カバー２０を下方に引くだけで、防塵カバー２０を取り付けられるので、滑り止めとなり、防塵カバー２０の取付作業が行いやすくなる。
【００１８】
本実施形態では、住宅情報盤１を埋め込み型の機器としたが、この種の機器のカバー３は、美観などを考慮して、テーパがかかっており、かつ取付面２５から露出する厚みが少ないので、露出型の機器に比べ防塵カバー２０が外れやすい構造となっている。しかし、引掛部１５を設けることで、埋め込み型の機器でも防塵カバー２０の外れを完全に防止できる。
【００１９】
本実施形態においては、背面板の隅部を面取りすることで引掛部を形成したので、容易に製作でき、また見栄えも良い。この引掛部の他の作成方法としては、背面板の大きさを、カバーよりも一回り小さくすることで、背面板の周囲全体に引掛部を作成できる。また背面板に輪ゴムを引っ掛けるためのかぎ状のフックを設けるようにしてもよい。なお、本実施形態では、取付面を壁面としたが、取付面は天井面でもよく、その場合には火災感知器やガス漏れ警報器などが電子機器の一例になる。
【図面の簡単な説明】
【００２０】
【図１】電子機器としての住宅情報盤の斜視図である。
【図２】防塵カバー取付前の住宅情報盤の側面図である。
【図３】防塵カバーを取り付けた住宅情報盤の側面図である
【図４】住宅情報盤の背面図である。
【図５】本体の斜視図である。
【図６】従来例であり、防塵カバーの使用状態を湿した斜視図である。
【符号の説明】
【００２１】
１  住宅情報盤、  ２  本体、  ３  カバー、  ４  モニター、
５  スピーカ、  ６  通話釦、  ７  操作用押し釦、  ９  非常用押釦、
１０  背面板、  １２  本体部、  １５  引掛部、
２０  防塵カバー、  ２１  ビニール袋、  ２２  輪ゴム、  ２５  取付面、tt
【図１】
2005276866.tif 000003
【図２】
2005276866.tif 000004
【図３】
2005276866.tif 000005
【図４】
2005276866.tif 000006
【図５】
2005276866.tif 000007
【図６】
2005276866.tif 000008